(57)【要約】本発明は、内部にシリンダ（２）が取り付けられたボディ（１）を具備しており、シリンダ内においては、衝撃ピストン（２２）が案内され、この衝撃ピストンは、非圧縮性流体によって前後進駆動され、ピストンを駆動する流体流通は、ボディ内に取り付けられた流通ボックス（３）内に収容された流通器（２３）によって行われるような液圧式衝撃装置に関するものである。シリンダ（２）と流通ボックス（３）とは、ボディ（１）がなす容積内に全体的に収容され、流通ボックス（３）が、シリンダと同軸的に取り付けられているとともに、シリンダに対して機械的に当接しており、各部材に対して印加される液圧的合計力が常に同一方向を向くようにして、装置の軸に対して垂直とされていて圧力を受ける複数の表面が、構成されるとともに寸法調整されている。
2004504167.tif 000002
【特許請求の範囲】
【請求項１】
液圧式衝撃装置であって、
内部にシリンダが取り付けられたボディを具備しており、前記シリンダ内においては、衝撃ピストンが案内され、この衝撃ピストンは、非圧縮性流体によって前後進駆動され、前記ボディの下端部に保持されたツールを打撃するものとされ、前記ピストンを駆動する前記流体の流通は、前記ボディ内に取り付けられた流通ボックス内に収容された流通器によって行われるような液圧式衝撃装置において、
前記シリンダと前記流通ボックスとが、前記ボディがなす容積内に全体的に収容され、
前記シリンダが、前記ボディに対して軸方向に当接しており、
前記流通ボックスが、前記シリンダと同軸的に取り付けられているとともに、前記シリンダに対して機械的に当接しており、
前記シリンダや前記流通ボックスも含めた各部材に対して印加される液圧的合計力が、前記装置の動作サイクルのすべてのフェーズにわたって、前記装置の前記ボディ内に配置された支持体に向かうような同一方向を向くようにして、前記装置の軸に対して垂直とされていて圧力を受ける複数の表面が、構成されるとともに寸法調整されていることを特徴とする液圧式衝撃装置。
【請求項２】
請求項１記載の液圧式衝撃装置において、
前記流通ボックスに対して同軸的に配置されかつ前記流通ボックスに対して軸方向に当接した流通カバーを具備し、
この流通カバーに対して印加される液圧的合計力が、前記装置の動作サイクルのすべてのフェーズにわたって、前記シリンダや前記流通ボックスも含めた他の各部材に対して印加される前記液圧的合計力と同じ向きを向くようにして、前記流通カバーのうちの、前記装置の前記軸に対して垂直とされていて圧力を受ける複数の表面が、構成されるとともに寸法調整されていることを特徴とする液圧式衝撃装置。
【請求項３】
請求項１または２記載の液圧式衝撃装置において、
すべての部材が液圧的に押しつけられるものである前記支持体が、前記シリンダが取り付けられている前記ボディがなす前記容積のうちの、前記ツール側の端部壁とされていることを特徴とする液圧式衝撃装置。
【請求項４】
請求項１〜３のいずれか１項に記載の液圧式衝撃装置において、
前記シリンダや前記流通ボックスや前記流通カバーといったような各部材が、少なくとも２つの拮抗面を備え、
一方の拮抗面が、高圧と低圧とを交互的に受けるものとされ、
他方の拮抗面が、前記一方の拮抗面よりも大きな面積とされているとともに、常に高圧を受けるものとされていることを特徴とする液圧式衝撃装置。
【請求項５】
請求項３記載の液圧式衝撃装置において、
前記シリンダ（２）のうちの、前記ボディ（１）がなす前記容積の前記端部壁（５）に対して当接している端面が、大気圧を受けており、
一方、装置の端面とは反対側の面（１１）が、常に高圧を受けるものとされていることを特徴とする液圧式衝撃装置。
【請求項６】
請求項４記載の液圧式衝撃装置において、
前記流通ボックス（３）が、連接された２つの円柱部分を備え、
前記ピストンを向いた一方の円柱部分が、端部壁（１８）によって閉塞されており、
この端部壁（１８）が、前記ピストンと一緒に、高圧と低圧とに対して交互的に接続されるチャンバ（１２）を形成し、
他方の円柱部分が、前記一方の円柱部分よりも大きな面積を有しているとともに、常に高圧流体が供給されているチャンバ（２６）内に配置されていることを特徴とする液圧式衝撃装置。
【請求項７】
請求項２〜６のいずれか１項に記載の液圧式衝撃装置において、
前記流通カバー（４）が、円形壁を備え、
この円筒壁の外面が、前記流通ボックス（３）の内面に対して当接しており、
この内面が、部分的には前記流通器を案内するように機能し、
前記円形壁の下面（７）が、常に低圧回路に対して接続されている環状チャンバ（１５）の一部を形成しており、
前記円形壁には、前記流通ボックス（３）の端面に対して当接した大面積部分が形成されており、
この大面積部分が、常に高圧流体が供給されているチャンバ（２６）内に配置されていることを特徴とする液圧式衝撃装置。
【請求項８】
請求項２〜６のいずれか１項に記載の液圧式衝撃装置において、
前記流通カバー（４）が、円形壁を備え、
この円筒壁の外面が、前記ボディ（２）がなす孔内に当接しており、
この内面が、部分的には前記流通器を案内するように機能し、
前記円形壁の下面が、前記流通ボックスの上面に対して当接しており、
前記流通ボックスの内面が、前記流通器（２３）を部分的に案内するよう機能するとともに、前記流通器と一緒に、常に低圧回路に対して接続されている環状チャンバを形成しており、
前記円形壁には、上端部に、大面積部分が形成されており、
この大面積部分が、常に高圧流体が供給されているチャンバ（２６）内に配置されていることを特徴とする液圧式衝撃装置。
【発明の詳細な説明】
【０００１】
【発明の属する技術分野】
本発明は、液圧式衝撃装置に関するものである。
【０００２】
【従来の技術および発明が解決しようとする課題】
液圧式衝撃装置は、内部にシリンダが取り付けられたボディを備えており、シリンダ内においては、衝撃ピストンが案内される。衝撃ピストンは、非圧縮性流体によって前後進駆動され、ボディの下端部に保持されたツールを打撃する。ピストンを駆動する流体の流通は、ボディ内に取り付けられた流通ボックス内に収容された流通器によって行われる。
【０００３】
欧州特許明細書第０ ６３８ ０１３号は、衝撃装置に関するものであり、この場合、衝撃ピストンのシリンダと、衝撃ピストンを案内するシリンダを形成することとなる様々なライナーと、流通器とが、上面カバーによって保持されている。上面カバー自体は、複数のネジによってボディに対して固定されている。これらネジは、様々な部材を機械的に不動化するものの、以下のようないくつかの欠点を引き起こす。
−カバーによってもたらされた圧力の流通が、全体的に、各ネジによって伝達されるクランプ力に依存する。土木工事装置に対しての短いネジの締付は、通常は、回転によって行われるものであり、このタイプの締付に関するすべての不確定要素を避けることができない。すなわち、ネジのネジ山内における摩擦力が非一様であること、また、締付装置の精度が非一様であること、等といったような不確定要素を避けることができない。したがって、衝撃ピストン案内アセンブリの変形が、カバーの締付によって引き起こされ得る。
−必要とされる機能的クリアランスがカバーを曲げてしまうことにより、カバーが、ライナーや装置ボディに対して同時には接触することができない。これにより、ネジの曲がりが誘発され、疲労強度において不利となる。
−ライナーどうしの相対移動に基づくカバー固定用ネジのわずかな後退が、当接面の摩耗を引き起こし、さらには、しだいにズレを引き起こし、衝撃ピストンの液圧的案内の性能を劣化させることとなる。
【０００４】
【課題を解決するための手段】
本発明の目的は、ボディがなす容積内に取り付けることを意図した様々な部材が、上述の様々な欠点といったようなネジ締付に由来する様々な制限を受けないような、液圧衝撃装置を提供することである。
【０００５】
この目的のために、本発明による液圧式衝撃装置は、内部にシリンダが取り付けられたボディを具備しており、シリンダ内においては、衝撃ピストンが案内され、この衝撃ピストンは、非圧縮性流体によって前後進駆動され、ボディの下端部に保持されたツールを打撃するものとされ、ピストンを駆動する流体の流通は、ボディ内に取り付けられた流通ボックス内に収容された流通器によって行われるような液圧式衝撃装置において、シリンダと流通ボックスとが、ボディがなす容積内に全体的に収容され、シリンダが、ボディに対して軸方向に当接しており、流通ボックスが、シリンダと同軸的に取り付けられているとともに、シリンダに対して機械的に当接しており、シリンダや流通ボックスも含めた各部材に対して印加される液圧的合計力が、装置の動作サイクルのすべてのフェーズにわたって、装置のボディ内に配置された支持体に向かうような同一方向を向くようにして、装置の軸に対して垂直とされていて圧力を受ける複数の表面が、構成されるとともに寸法調整されていることを特徴としている。
【０００６】
一実施形態においては、装置は、さらに、流通ボックスに対して同軸的に配置されかつ流通ボックスに対して軸方向に当接した流通カバーを具備し、この流通カバーに対して印加される液圧的合計力が、装置の動作サイクルのすべてのフェーズにわたって、シリンダや流通ボックスも含めた他の各部材に対して印加される液圧的合計力と同じ向きを向くようにして、流通カバーのうちの、装置の軸に対して垂直とされていて圧力を受ける複数の表面が、構成されるとともに寸法調整されている。
【０００７】
この構造により、シリンダと流通ボックスと流通カバーとが構成するすべての部材が、通常的にはボディカバーに対して固定されるのではあるもののこのような通例とは異なり、ボディカバーに対して機械的に固定されていないことは、明らかである。したがって、ボディに対しての流通カバーの押圧度合いは、ボディ内部における様々な部材の取付強度に対してもまた各部材どうしの間の取付強度に対しても一切影響されることがない。それは、すべての部材が、液圧力によって、互いに対してもまたボディに対しても、強力に押圧されているからである。これにより、ネジ取付に基づく従来的取付の場合よりも、製造に関する許容誤差がずっと大きくなる。同時に、従来的手法の場合におけるようなシリンダ変形や衝撃ピストン案内の位置ズレといったようなリスクが避けられることにより、装置特性が、より良好なものとなる。
【０００８】
本発明の一特徴点においては、すべての部材が液圧的に押しつけられるものである支持体が、シリンダが取り付けられているボディがなす容積のうちの、ツール側の端部壁とされる。
【０００９】
他の特徴点においては、シリンダや流通ボックスや流通カバーといったような各部材が、少なくとも２つの拮抗面を備え、一方の拮抗面が、高圧と低圧とを交互的に受けるものとされ、他方の拮抗面が、一方の拮抗面よりも大きな面積とされているとともに、常に高圧を受けるものとされる。
【００１０】
この装置の一実施形態においては、シリンダのうちの、ボディがなす容積の端部壁に対して当接している端面が、大気圧を受けており、一方、装置の端面とは反対側の面が、常に高圧を受けるものとされる。よって、シリンダは、ボディがなす容積の端部壁に対して、強力に押圧される。
【００１１】
１つの可能性においては、流通ボックスが、連接された２つの円柱部分を備え、ピストンを向いた一方の円柱部分が、端部壁によって閉塞されており、この端部壁が、ピストンと一緒に、高圧と低圧とに対して交互的に接続されるチャンバを形成し、他方の円柱部分が、一方の円柱部分よりも大きな面積を有しているとともに、常に高圧流体が供給されているチャンバ内に配置される。
【００１２】
有利には、流通カバーが、円形壁を備え、この円筒壁の外面が、流通ボックスの内面に対して当接しており、この内面が、部分的には流通器を案内するように機能し、円形壁の下面が、常に低圧回路に対して接続されている環状チャンバの一部を形成しており、円形壁には、流通ボックスの端面に対して当接した大面積部分が形成されており、この大面積部分が、常に高圧流体が供給されているチャンバ内に配置される。
【００１３】
他の実施形態においては、流通カバーが、円形壁を備え、この円筒壁の外面が、ボディがなす孔内に当接しており、この内面が、部分的には流通器を案内するように機能し、円形壁の下面が、流通ボックスの上面に対して当接しており、流通ボックスの内面が、流通器を部分的に案内するよう機能するとともに、流通器と一緒に、常に低圧回路に対して接続されている環状チャンバを形成しており、円形壁には、上端部に、大面積部分が形成されており、この大面積部分が、常に高圧流体が供給されているチャンバ内に配置される。
【００１４】
【発明の実施の形態】
いずれにしても、本発明は、添付図面を参照しつつ、本発明を何ら限定するものではなく単なる例示としてのいくつかの実施形態に関する以下の詳細な説明を読むことにより、明瞭となるであろう。
【００１５】
図１に示す装置は、ボディ（１）を具備しており、ボディ（１）内には、軸方向にキャビティが形成されている。このキャビティは、シリンダ（２）を収容するように機能している。シリンダ（２）は、キャビティのうちの、衝撃ツール（４０）と同じ側に配置された端部壁（５）に対して当接している。シリンダ（２）は、衝撃ピストン（２２）の前後進移動を案内するように機能する。衝撃ピストン（２２）は、各動作サイクル時に、ツール（４０）のヘッドを打撃することを意図したものである。シリンダ（２）の上部において中央キャビティ内には、流通ボックス（３）が取り付けられている。流通ボックス（３）の上端には、流通カバー（４）が取り付けられている。流通ボックスの内部には、流通器（２３）が取り付けられている。流通器（２３）は、ピストンを前後進駆動し得るよう、装置に対して非圧縮性流体を供給するように作用する。
【００１６】
衝撃ピストン（２２）は、シリンダと一緒に、２つの拮抗チャンバを形成している。一方の拮抗チャンバをなす下側環状チャンバ（１３）は、常に、ダクト（１７）から高圧を受ける。他方の拮抗チャンバをなす上側環状チャンバ（１２）は、流通器（２３）によって、交互的に高圧と低圧とを受ける。これにより、衝撃ピストンに対してもたらされる圧力の結果は、一方の向きとなったりまたその逆向きとなったりする。
【００１７】
流通ボックスは、シリンダと一緒に、ダクト（１６）を介して常に低圧を受ける環状チャンバ（６）を形成する。
【００１８】
流通器（２３）は、流通ボックス（３）と一緒に、命令チャンバとして公知の環状チャンバ（１４）を形成する。命令チャンバは、衝撃ピストン（２２）の位置に応じて高圧（ＨＰ）と低圧（ＢＰ）とに対して交互的に連通される。
【００１９】
流通器（２３）と、流通ボックス（３）と、流通カバー（４）とは、ダクト（１６）を介して常に低圧を受ける環状チャンバ（１５）を形成している。
【００２０】
流通カバー（４）の平衡の維持は、単純に行われている。すなわち、チャンバ（１５）を規定する表面（７）が明らかに低圧（ＢＰ）とされており、かつ、チャンバ（２６）内の高圧（ＨＰ）が、チャンバ（２６）を向いた表面（７）上に印加されており、これにより、流通カバー（４）は、液圧的に下向きに押圧されている。したがって、流通カバー（４）は、流通器が下位置にある時には流通ボックスに対して Ｆｃｏｖ＝（ＨＰ−ＢＰ）（Ｓ７） という力を及ぼし、また、流通器が上位置にある時には流通ボックスに対してＦｃｏｖ＝（ＨＰ−ＢＰ）（Ｓ７）−（ＨＰ−ＢＰ）（Ｓ４０）という力を及ぼす。ここで、（ＨＰ−ＢＰ）（Ｓ４０）という力は、流通器がもたらす力を表している。
【００２１】
流通ボックス（３）の平衡について考察すると、この流通ボックスは、表面（２４）（面積Ｓ２４）上に高圧を受けるとともに、流通ボックス（３）とシリンダ（２）とによって形成された表面（６）（面積Ｓ６ ）は、常に低圧（ＢＰ）を受け、さらに、チャンバ（１５）によって形成された表面（２０）（面積Ｓ２０）は、常に低圧（ＢＰ）を受け、さらに、環状チャンバ（１４）によって形成された表面（２１）（面積Ｓ２１）は、高圧（ＨＰ）と低圧（ＢＰ）とを交互的に受け、さらに、表面（２５）（面積Ｓ２５）は、常に高圧（ＨＰ）を受け、さらに、流通ボックスの端部壁をなしかつ上側チャンバ（１２）とシリンダ（２）とによって形成された表面（１８）（面積Ｓ１８）は、高圧（ＨＰ）と低圧（ＢＰ）とを交互的に受ける。
【００２２】
その結果、流通ボックス（３）には、互いに異なる４つの平衡状態が存在する。
【００２３】
ピストンが上昇する際に、流通器が下位置にある時について考察する。
Ｓ２４＋Ｓ２０＋Ｓ２１＋Ｓ２５＝Ｓ１８＋Ｓ６
【００２４】
その結果、流通ボックスに対して印加される力（ＦＢ ）は、次のように表すことができる。
ＦＢ ＝（Ｓ２４×ＨＰ）＋（Ｓ２０×ＢＰ）＋（Ｓ２１×ＢＰ）＋（Ｓ２５×ＨＰ）
−（Ｓ１８×ＢＰ）−（Ｓ６×ＢＰ）＋Ｆｃｏｖ＋ＦＤＩＳＴ
＝ＨＰ（Ｓ２４＋Ｓ２５）＋ＢＰ（Ｓ２０＋Ｓ２１−Ｓ１８−Ｓ６）
＋（ＨＰ−ＢＰ）（Ｓ７）＋（ＨＰ−ＢＰ）（Ｓ４１−Ｓ４０）
ここで、Ｆｃｏｖ は、流通ボックスに対して流通カバーによってもたらされる力であり、ＦＤＩＳＴは、流通ボックスに対して流通器によってもたらされる力である。さて、第１の式により、Ｓ２０＋Ｓ２１−Ｓ１８−Ｓ６＝−Ｓ２４−Ｓ２５ である。したがって、
ＦＢ ＝（ＨＰ−ＢＰ）（Ｓ２４＋Ｓ２５＋Ｓ７＋Ｓ４１−Ｓ４０）
＝（ＨＰ−ＢＰ）（Ｓｔ）
ここで、Ｓｔ は、平面視における流通ボックスの投影表面積である。
【００２５】
よって、流通ボックスは、印加力の結果として、液圧的に下向きに押圧されるように維持される。
【００２６】
同様に、ピストンが上昇する際に、流通器が上位置にある時について考察すると、この場合には、表面（２１）が高圧（ＨＰ）を受ける。
ＦＢ ＝（Ｓ２４×ＨＰ）＋（Ｓ２０×ＢＰ）＋（Ｓ２１×ＨＰ）＋（Ｓ２５×ＨＰ）
−（Ｓ１８×ＢＰ）−（Ｓ６×ＢＰ）＋Ｆｃｏｖ
＝ＨＰ（Ｓ２４＋Ｓ２１＋Ｓ２５）＋ＢＰ（Ｓ２０−Ｓ１８−Ｓ６）
＋（ＨＰ−ＢＰ）（Ｓ７）−（ＨＰ−ＢＰ）（Ｓ４０）
ここで、Ｓ２０−Ｓ１８−Ｓ６＝−Ｓ２４−Ｓ２１−Ｓ２５ である。したがって、
ＦＢ ＝（ＨＰ−ＢＰ）（Ｓ２４＋Ｓ２１＋Ｓ２５＋Ｓ７−Ｓ４０）
＝（ＨＰ−ＢＰ）（Ｓｔ）
【００２７】
ピストンが下降する際に、流通器が上位置にある時について考察すると、この場合には、チャンバ（１４，１２）が、高圧（ＨＰ）を受ける。
ＦＢ ＝（Ｓ２４×ＨＰ）＋（Ｓ２０×ＢＰ）＋（Ｓ２１×ＨＰ）＋（Ｓ２５×ＨＰ）
−（Ｓ１８×ＨＰ）−（Ｓ６×ＢＰ）＋Ｆｃｏｖ
＝ＨＰ（Ｓ２４＋Ｓ２１＋Ｓ２５−Ｓ１８）＋ＢＰ（Ｓ２０−Ｓ６）
＋（ＨＰ−ＢＰ）（Ｓ７）−（ＨＰ−ＢＰ）（Ｓ４０）
ここで、Ｓ２０−Ｓ６＝−Ｓ２４−Ｓ２１−Ｓ２５＋Ｓ１８ である。したがって、
ＦＢ ＝（ＨＰ−ＢＰ）（Ｓ２４＋Ｓ２１＋Ｓ２５−Ｓ１８＋Ｓ７−Ｓ４０）
ここで、Ｓ７−Ｓ４０＝Ｓ２０ であり、Ｓ６＝Ｓ２４＋Ｓ２０＋Ｓ２１＋Ｓ２５−Ｓ１８ である。よって、
ＦＢ ＝（ＨＰ−ＢＰ）（Ｓ６）
【００２８】
よって、流通ボックスは、印加力の結果として、液圧的に下向きに一定的に押圧されるように維持される。
【００２９】
ピストンが下降する際に、流通器が下位置にある時について考察すると、この場合には、命令チャンバ（１４）は、再度、低圧（ＢＰ）とされ、かつ、チャンバ（１２）は、なおも、高圧（ＨＰ）とされる。
ＦＢ ＝（Ｓ２４×ＨＰ）＋（Ｓ２０×ＢＰ）＋（Ｓ２１×ＢＰ）＋（Ｓ２５×ＨＰ）
−（Ｓ１８×ＨＰ）−（Ｓ６×ＢＰ）＋Ｆｃｏｖ＋ＦＤＩＳＴ
＝ＨＰ（Ｓ２４＋Ｓ２５−Ｓ１８）＋ＢＰ（Ｓ２０＋Ｓ２１−Ｓ６）
＋（ＨＰ−ＢＰ）（Ｓ７）＋（ＨＰ−ＢＰ）（Ｓ４１−Ｓ４０）
ここで、Ｓ２０＋Ｓ２１−Ｓ６＝−Ｓ２４−Ｓ２５＋Ｓ１８ である。したがって、
ＦＢ ＝（ＨＰ−ＢＰ）（Ｓ２４＋Ｓ２５−Ｓ１８＋Ｓ７＋Ｓ４１−Ｓ４０）
ここで、Ｓ７＋Ｓ４１−Ｓ４０＝Ｓ２０＋Ｓ２１ である。よって、
ＦＢ ＝（ＨＰ−ＢＰ）（Ｓ６）
【００３０】
したがって、すべての動作フェーズにおいて、流通ボックスは、シリンダに向けて一定的に液圧的に押圧されるように維持される。
【００３１】
シリンダ（２）の平衡について考察すると、シリンダ（２）は、底面（５）の全体（面積Ｓ５ ）上に大気圧（Ｐａ）を受けるとともに、環状表面（８）（表面（５）に対して平行な表面上への投影面積が面積Ｓ８ として知られている）は、常に高圧（ＨＰ）を受け、さらに、表面（９）（面積Ｓ９ ）は、チャンバ（１２）の圧力（ピストンが下降する際には高圧（ＨＰ）、また、ピストンが上昇する際には低圧（ＢＰ））を受け、さらに、表面（１０）（面積Ｓ１０）は、常に低圧（ＢＰ）を受け、さらに、表面（１１）（面積Ｓ１１）は、常に高圧（ＨＰ）を受ける。シリンダに対して印加される様々な力を、それぞれ Ｆ５，Ｆ８，Ｆ９，Ｆ１０，Ｆ１１ によって表したとすれば、
−ピストンが上昇する際には、
Ｆ５ ＝Ｓ５×Ｐａ
Ｆ６ ＝Ｓ８×ＨＰ
Ｆ９ ＝Ｓ９×ＢＰ
Ｆ１０＝Ｓ１０×ＢＰ
Ｆ１１＝Ｓ１１×ＨＰ
ＦＢ ＝流通ボックスによってシリンダに対して印加される力
Ｓ５＝Ｓ８＋Ｓ９＋Ｓ１０＋Ｓ１１
であり、この場合には、シリンダに対して印加される合計の力は、次のように表すことができる。
ＦＣ ＝Ｆ５＋Ｆ６＋Ｆ９＋Ｆ１０＋Ｆ１１＋ＦＢ
＝−（Ｓ５×Ｐａ）＋（Ｓ８×ＨＰ）＋（Ｓ９×ＢＰ）＋（Ｓ１０×ＢＰ）
＋（Ｓ１１×ＨＰ）＋ＦＢ
ＦＣ ＝（Ｓ５×Ｐａ）＋ＨＰ×（Ｓ８＋Ｓ１１）＋ＢＰ×（Ｓ９＋Ｓ１０）＋ＦＢ
【００３２】
高圧（ＨＰ）に対して大気圧が無視できるものであるので、次のようになる。
ＦＣ ＝ＨＰ×（Ｓ８＋Ｓ１１）＋ＢＰ×（Ｓ９＋Ｓ１０）＋（ＨＰ−ＢＰ）Ｓｔ
ここで、Ｓｔ＝Ｓ１０＋Ｓ９＋Ｓ４２（Ｓｔ ：流通ボックスの下方からの投影表面積）動的条件下では、
ＦＣ ＝ＨＰ（Ｓ１１＋Ｓ１０＋Ｓ９＋Ｓ４２）＋ＨＰ×Ｓ８−ＢＰ×Ｓ４２
【００３３】
静的条件下で計算したならば、ピストンにかかる力は、ほぼ平衡しており、　ＨＰ×Ｓ８＝ＢＰ×Ｓ４２である。よって、
ＦＣ ＝ＨＰ（Ｓ１１＋Ｓ１０＋Ｓ９＋Ｓ４２）
【００３４】
したがって、シリンダは、高圧（ＨＰ）によって液圧的に下方へと押圧されるようにして維持される。
【００３５】
−ピストンが下降する際には、
Ｆ５，Ｆ６，Ｆ１０，Ｆ１１は、不変のままであり、Ｆ９ ＝Ｓ９×ＨＰとなる。
【００３６】
この場合には、
ＦＣ ≒ＨＰ（Ｓ８＋Ｓ１１＋Ｓ９）＋ＢＰ（Ｓ１０）＋ＦＢ
【００３７】
したがって、シリンダは、印加される様々な力の結果として、なおも液圧的に、ボディ（１）の底部に向けて押圧されるようにして維持される。
【００３８】
図２，３，４，５は、図１の装置の複数の代替可能な実施形態を示している。これらにおいては、衝撃ピストン（２２）を駆動する上側チャンバの容積が、付加的チャンバの追加によって、低減されている。付加的チャンバは、適切な態様でもって、大気圧に連通させることができる、あるいは、低圧戻り回路に対して連通させることができる。これにより、ピストンに対して付加的チャンバがもたらす力は、無視できるものとなる。駆動チャンバの容積が小さいことにより、入力流速を同じに維持した場合であっても、大きな周波数を得ることができる。これにより、全体的パワーは、動作圧力を増大させることによって維持される。
【００３９】
図２〜図５においては、図１の場合と同じ部材には、同じ符号が付されている。
【００４０】
図２に示す実施形態においては、衝撃ピストンと流通ボックスとによって形成されたチャンバ（２７）が付加されている。このチャンバ（２７）は、戻り回路に対して常に連通されており、そのため、ダクト（２８）を介して低圧とされている。
【００４１】
流通カバー（４）の平衡は、図１の場合と変わることなくそのままである。
【００４２】
これに対し、流通ボックスの平衡は、変わっている。それは、チャンバ（２７）が、図１における表面（１８）の効果を低減させるような表面（２９）を規定しているからである。この表面（２９）が常に低圧を受けていることにより、流通ボックスは、図１の場合よりもさらに大きな下向き力を受けることとなる。図１の場合と比較しての、シリンダ（２）の平衡は、力（ＦＢ ）の変化に従う。
【００４３】
図３は、図２の装置の代替可能な実施形態を示しており、この場合には、チャンバ（２７）は、チャンバ（３０）へと置き換えられている。チャンバ（３０）は、流通ボックスに関して、常に大気圧を受けるような表面（３２）を規定している。
【００４４】
図４の実施形態においては、図２および図３の実施形態とは違って、駆動上側チャンバ（３５）が、環状ではなく、流通ボックス（３）の表面（３６）を形成している。一方、環状チャンバ（３３）が、衝撃ピストン（２２）と、シリンダ（１）と、流通ボックス（３）と、によって形成されている。チャンバ（３３）は、ダクト（３４）によって、低圧戻り回路に対して常に接続されている。チャンバ（３３）が規定している表面（３８）は、シリンダ（２）の平衡およびカバー（４）の平衡を一切変更することなく、流通ボックスを下向きに押圧する合計力を増大させるという機能を有している。
【００４５】
図５は、図４の装置の代替可能な実施形態を示しており、この場合には、チャンバ（３３）は、チャンバ（３７）によって置き換えられている。チャンバ（３７）は、流通ボックスに関し、常に大気圧を受ける表面（３９）を形成している。
【００４６】
図６は、図２，３，４，５の装置に対して適用し得るような代替可能な実施形態を示しており、この場合には、流通カバー（４）が、流通ボックス（３）内において案内されているのではなく、直接的にシリンダ（２）内において案内されている。
【００４７】
上述と同様に、流通カバーや流通ボックスに対して印加される合計力が常に下向きであるようにして、流通カバーや流通ボックスの様々な表面が構成されている。
【図面の簡単な説明】
【図１】第１のシリンダ−流通手段アセンブリを具備した装置を示す長さ方向断面図である。
【図２】図１の装置の代替可能な実施形態を示す長さ方向断面図である。
【図３】図１の装置の代替可能な実施形態を示す長さ方向断面図である。
【図４】図１の装置の代替可能な実施形態を示す長さ方向断面図である。
【図５】図１の装置の代替可能な実施形態を示す長さ方向断面図である。
【図６】図１の装置の代替可能な実施形態を示す長さ方向断面図である。
【符号の説明】
１　ボディ
２　シリンダ
３　流通ボックス
４　流通カバー
５　端部壁（ツール側の端部壁、支持体）
７　表面（下面）
１１　表面
１２　上側環状チャンバ
１５　環状チャンバ
１８　表面（端部壁）
２２　衝撃ピストン
２３　流通器
２６　チャンバ
４０　ツール
【国際公開パンフレット】
2004504167.tif 000003
2004504167.tif 000004
2004504167.tif 000005
2004504167.tif 000006
2004504167.tif 000007
2004504167.tif 000008
2004504167.tif 000009
2004504167.tif 000010
2004504167.tif 000011
2004504167.tif 000012
2004504167.tif 000013
2004504167.tif 000014
2004504167.tif 000015
2004504167.tif 000016
2004504167.tif 000017
2004504167.tif 000018
2004504167.tif 000019
2004504167.tif 000020
2004504167.tif 000021
【国際調査報告】
2004504167.tif 000022
2004504167.tif 000023
2004504167.tif 000024
2004504167.tif 000025